(57)【要約】  本発明は、レザーカートリッジおよびハンドルを有するシェービング装置を提供する。レザーカートリッジは、１つ以上のレザーブレードと、リザーバ内に配置された液体材料収容要素とを有している。液体材料収容要素とレザーカートリッジの外面との間で供給媒体が延びている。シェービングの行為中、供給媒体は、液体をリザーバから供給媒体のユーザ接触端部へと引き出すようになっており、この液体は、その後、刃先に隣接して剃られる領域に対して与えられる。
2007508866.tif 000002
【特許請求の範囲】
【請求項１】
ハンドルと、ハンドルに取り付けられ且つ１つ以上のレザーブレードを有しているレザーカートリッジと、選択的に取り外し可能な蓋を有するリザーバと、リザーバ内に配置された液体材料収容要素と、液体材料収容要素とレザーカートリッジの外面との間で延びるとともに接触端部を有する供給媒体とを備え、供給媒体は、液体材料収容要素内に収容された液体を供給媒体を通じて接触端部へと引き出すようになっているシェービング装置。
【請求項２】
ハンドルがレザーカートリッジに対して取り外し不能に取り付けられている請求項１に記載のシェービング装置。
【請求項３】
選択的に取り外し可能な蓋に対してハンドルが取り付けられる請求項１に記載のシェービング装置。
【請求項４】
ハンドルがレザーカートリッジに対して選択的に取り付け可能である請求項１に記載のシェービング装置。
【請求項５】
選択的に取り外し可能な蓋に対してハンドルが選択的に取り付け可能である請求項４に記載のシェービング装置。
【請求項６】
選択的に取り外し可能な蓋は、リザーバの開口端を覆って位置されるときに開口端を完全に覆うように寸法付けられている請求項１に記載のシェービング装置。
【請求項７】
選択的に取り外し可能な蓋は、リザーバの開口端を覆って位置されるときに当該開口端をほぼシールする請求項６に記載のシェービング装置。
【請求項８】
液体材料収容要素が選択的に交換可能である請求項１に記載のシェービング装置。
【請求項９】
供給媒体が芯材である請求項８に記載のシェービング装置。
【請求項１０】
芯材が多孔質材料である請求項９に記載のシェービング装置。
【請求項１１】
芯材が焼結プラスチック材料である請求項９に記載のシェービング装置。
【請求項１２】
芯材は、レザーカートリッジに形成されたチャンネル内に載置される長尺本体部と、レザーカートリッジの相補的な開孔内に位置される複数のピンとを有している請求項９に記載のシェービング装置。
【請求項１３】
少なくとも１つのピンは、外側に延びるリップを有するチップを更に特徴としており、前記リップにより、芯材は、開孔を貫通してリザーバ内に突出するとともに所定位置にスナップ固定され、それにより、チャンネル内における長尺本体部の位置が維持される請求項１２に記載のシェービング装置。
【請求項１４】
少なくとも１つのピンが液体材料収容要素と接触している請求項１３に記載のシェービング装置。
【請求項１５】
シェービング装置のための交換式カートリッジであって、
１つ以上のレザーブレードと、
選択的に取り外し可能な蓋を有するリザーバと、
リザーバとレザーカートリッジの外面との間で延びるとともに外面に隣接して配置される接触端部を有する供給媒体と、
を備え、
供給媒体は、リザーバから液体を接触端部へと引き出すようになっている交換式カートリッジ。
【請求項１６】
選択的に取り外し可能な蓋は、リザーバの開口端を完全に覆うように寸法付けられている請求項１５に記載のシェービング装置。
【請求項１７】
選択的に取り外し可能な蓋は、リザーバの開口端を覆って位置されるときに当該開口端をほぼシールする請求項１６に記載のシェービング装置。
【請求項１８】
液体材料収容要素が選択的に交換可能である請求項１７に記載のシェービング装置。
【請求項１９】
供給媒体が芯材である請求項１８に記載のシェービング装置。
【請求項２０】
芯材が多孔質材料である請求項１９に記載のシェービング装置。
【請求項２１】
芯材が焼結プラスチック材料である請求項１９に記載のシェービング装置。
【請求項２２】
芯材は、レザーカートリッジに形成されたチャンネル内に載置される長尺本体部と、リザーバに通じるレザーカートリッジの相補的な開孔内に位置される複数のピンとを有している請求項１９に記載のシェービング装置。
【請求項２３】
少なくとも１つのピンは、外側に延びるリップを有するチップを更に特徴としており、前記リップにより、芯材は、開孔を貫通してリザーバ内に突出するとともに所定位置にスナップ固定され、それにより、チャンネル内における長尺本体部の位置が維持される請求項１９に記載のシェービング装置。
【請求項２４】
少なくとも１つのピンが液体材料収容要素と接触している請求項２３に記載のシェービング装置。
【請求項２５】
シェービング補助供給システムを有するレザーカートリッジであって、
液体シェービング補助材料を内部に収容するためのリザーバと、
少なくとも部分的に露出される刃先を有する少なくとも１つのレザーブレードと、
リザーバ内に配置される液体材料収容要素と、
少なくとも部分的に露出され且つレザーカートリッジから外側に突出する第１の部分と、液体材料収容要素に通じることにより液体材料収容要素から灯心作用によって液体シェービング補助材料を受ける第２の部分とを有する供給媒体と、
を備え、
液体シェービング補助材料は、ユーザの皮膚と供給媒体との間の接触に応じてユーザの皮膚に対して与えられるレザーカートリッジ。
【請求項２６】
それぞれが液体材料収容要素の一部を内部に配置して成る複数のリザーバと、複数の供給媒体とを有し、複数の供給媒体のうちの少なくとも１つは、レザーカートリッジの外面と複数のリザーバのうちの第１のリザーバとの間で延び、複数の供給媒体のうちの少なくとも他の供給媒体は、レザーカートリッジの外面と複数のリザーバのうちの第２のリザーバとの間で延びている請求項２５に記載のレザーカートリッジ。
【請求項２７】
液体材料収容要素および供給媒体が一体に接続されている請求項２５に記載のレザーカートリッジ。
【請求項２８】
供給媒体がレザーカートリッジの幅のほぼ全体にわたって延びている請求項２５に記載のレザーカートリッジ。
【請求項２９】
供給媒体は、少なくとも１つのレザーブレードの刃先と略平行に延びている請求項２８に記載のレザーカートリッジ。
【請求項３０】
供給媒体の第１の部分は、少なくとも１つのレザーブレードと隣接する位置でハウジングから外側に突出する請求項２５に記載のレザーカートリッジ。
【請求項３１】
供給媒体は、レザーブレードの後部でハウジング内に位置されている請求項３０に記載のレザーカートリッジ。
【請求項３２】
供給媒体は、レザーブレードの前部でハウジング内に位置されている請求項３０に記載のレザーカートリッジ。
【請求項３３】
ハンドルと、
前記ハンドルに取り付けられたレザーカートリッジであって、少なくとも１つのレザーブレードを有し、レザーブレードが、前記レザーカートリッジから少なくとも部分的に露出される刃先を有しているレザーカートリッジと、
液体シェービング補助製剤を収容するためのリザーバと、
リザーバ内に配置されて液体シェービング補助製剤を吸収する液体材料収容要素と、
少なくとも部分的に露出され且つハウジングから外側に突出する第１の部分と、液体材料収容要素に通じることにより液体材料収容要素から灯心作用によって液体シェービング補助材料を受ける第２の部分とを有している長尺な供給媒体と、
を備えるレザーアセンブリ。
【請求項３４】
容器と、
容器内に配置された液体材料収容要素と、
容器から外側に延びる第１の部分と、液体材料収容要素に通じる第２の部分とを有している供給媒体と、
を備える交換式カートリッジ。
【請求項３５】
容器は、容器をレザーカートリッジに対して取り付けるように機能する要素を有している請求項３４に記載の交換式カートリッジ。
【発明の詳細な説明】
【技術分野】
【０００１】
本発明は、一般に、液体やジェル状のシェービング補助材料を供給するための機構を有するシェービング装置に関し、特に、シェービング装置のレザーカートリッジ部内に前記機構を有するシェービング装置に関する。
【背景技術】
【０００２】
この出願は、２００３年１０月１７日に提出された米国仮特許出願第６０／５１２，４７５号および第６０／５１２，４７４号に開示された必須の主題の利益を享受し、前記仮特許出願はこれらを参照することにより本願に組み込まれる。
【０００３】
従来の安全剃刀は、一般に、再利用可能なハンドルに装着された使い捨て可能なレザーカートリッジを有しており、あるいは、ハンドルとカートリッジとが組み合わされて１つの使い捨て可能なユニットを構成している。殆どのレザーカートリッジは、フレームと、少なくとも１つのレザーブレードと、フレームに取り付けられるシェービング補助材料から成るストリップとを有している。シェービング補助材料としては、シェービングプロセスを促進させる潤滑剤、抗力低減剤、脱毛剤、洗浄剤、薬剤等を挙げることができるが、これらに限定されない。シェービング補助材料から成るストリップは、一般に、レザーブレードに隣接してレザーカートリッジに取り付けられる。また、一般に、更なるシェービング補助材料（例えばシェービングクリーム）もレザーカートリッジと共に使用される。
【０００４】
シェービング補助材料ストリップは、一般に、シェービング行為中に供給されるようになっている水溶性材料と、シェービング中に供給されないようになっている不水溶性材料とを含んでいる。不水溶性材料は、水溶性材料を支持し及び／又は保持するための媒体を形成している。不水溶性材料の一例はポリスチレンであり、水溶性材料の一例はポリオックス系材料である。これらの両方のタイプの材料は技術的に良く知られている。
【０００５】
一部のシェービング補助ストリップには、しばしば、幾つかの欠点が伴う。例えば、シェービング補助ストリップの耐用年数は、ユーザのシェービングの癖や、レザーカートリッジが使用され及び／又は保管される環境によって殆ど決まってくる。供給されるシェービング補助材料の量もシェービング装置の寿命にわたって異なる可能性がある。その結果、当初において適正であった供給率がその後になって不適正になる場合がある。また、シェービング補助ストリップにおいて供給され得るシェービング補助材料のタイプも制限される。
【０００６】
したがって、これらの欠点を技術的に克服するシェービング装置を提供することが望ましい。
【発明の開示】
【０００７】
本発明において、シェービング装置はハンドルとレザーカートリッジとを有している。レザーカートリッジは１つ以上のレザーブレードとリザーバとを有している。リザーバ内には液体材料収容要素が配置されている。液体材料収容要素とレザーカートリッジの外面との間で供給媒体が延びている。供給媒体の接触端部は外面に隣接して配置されている。供給媒体は、液体材料収容要素内に収容された液体を供給媒体を通じて接触端部へと引き出すようになっている。一部の実施形態において、リザーバは、選択的に取り外し可能な蓋も有している。
【０００８】
本発明の一態様において、ハンドルと共に使用するための交換式レザーカートリッジは、１つ以上のレザーブレードと、リザーバと、液体材料収容要素と、供給媒体とを有している。
【０００９】
本発明の他の態様において、液体収容媒体は、それ自体が交換式カートリッジであり、あるいは、レザーカートリッジと係合する交換式カートリッジ内に収容される。
【００１０】
本発明の利点は、本発明のシェービング装置がユーザに対して選択的に再生可能なシェービング補助剤源を与えるという点である。
【００１１】
本発明の他の利点は、シェービング装置が、多種多様なシェービング補助剤と共に使用されるようになっている単一のシェービング装置であるという点である。
【００１２】
本発明の他の利点は、剃られる表面をプレシェーブ製剤、ミッドシェーブ製剤、ポストシェーブ製剤でコーティングすることにより、シェービングプロセスを容易にするとともに、シェービングプロセスの快適さを高めることができるという点である。
【００１３】
本発明の他の利点は、全ての角度および位置で動作可能なシェービング補助剤供給システムが提供されるという点である。シェービング補助剤は、レザーアセンブリが逆さまになったり、一方側に傾いたり、あるいは、普通でない任意の姿勢となった場合であっても、皮膚の表面に対して供給することができる。
本発明のこれらの目的、他の目的、利点は、本発明の詳細な説明を考慮すると明らかになる。
【発明を実施するための最良の形態】
【００１４】
図１〜図１６を参照すると、本発明のシェービング装置１０の実施形態が示されている。シェービング装置１０はレザーカートリッジ１２とハンドル１４とを有している。ハンドル１４は、レザーカートリッジ１２に対して取り付け固定されていても良く或いは回動可能に取り付けられていても良い。一部の実施形態において、レザーカートリッジ１２は、ハンドルに対して選択的に取り付け可能／取り外し可能であり、交換可能なユニットである。ハンドル１４は、任意の適した材料によって形成されても良く、また、任意の適した方法で成形されても良い。レザーカートリッジ１２は、１つ以上のレザーブレード１６と、リザーバ１８と、液体材料収容要素２０と、供給媒体２４とを有している。レザーブレード１６は少なくとも１つの刃先２８を有している。レザーブレード１６は、レザーカートリッジ１２内にレザーブレード１６を装着するための技術的に良く知られた方法と同様に、レザーカートリッジ１２中にモールドされることが好ましい。しかしながら、レザーブレード１６は、任意の適した方法でレザーカートリッジ１２内に装着されても良い。
【００１５】
ここで、図１〜図８に示される実施形態を参照すると、リザーバ１８はレザーカートリッジ１２内に形成されている。リザーバ１８は任意の適した形状を成していても良い。しかしながら、リザーバ１８は、液体材料収容要素２０に対して補完的な態様で寸法付けられて形成される（後述する）ことが好ましい。リザーバ１８は開口端３０を有しており、この開口端３０によりユーザはリザーバ１８から液体材料収容要素２０を選択的に挿入し且つ取り除くことができる。
【００１６】
図５を参照すると、液体材料収容要素２０は、開口端３０を通過し且つリザーバ１８をほぼ満たす任意の形状を成していても良い。図５に示される液体材料収容要素２０は例えば円柱形状である。一部の実施形態では、液体材料収容要素２０が繊維材料によって形成されている。アセテートは、許容できる液体材料収容要素２０の一例である。許容できる更なる液体材料収容要素の例については後述する。
【００１７】
液体材料収容要素２０中には液体シェービング補助材料２２が分散されている。液体２２は、液体材料収容要素２０をリザーバ１８内に配置する前に液体材料収容要素２０中に分散されても良い。また、液体材料収容要素２０がリザーバ１８内に配置された後に、液体２２が液体材料収容要素２０中に分散されても良い。例えば、液体材料収容要素２０中に針を挿入して液体２２を注射することが１つの許容できる方法である。許容できる液体シェービング補助材料２２としては、シェービングプロセスを促進させる潤滑剤、抗力低減剤、脱毛剤、洗浄剤、薬剤、石鹸材料等およびこれらの組み合わせを挙げることができるが、これらに限定されない。
【００１８】
図１，６，７を参照すると、供給媒体２４は、リザーバ１８内の液体材料収容要素２０中に収容された液体２２を供給媒体２４を介して接触端部３２へと毛細管作用により引き出すようになっている。本明細書において使用される用語“毛細管作用”とは、凝着力および凝集力によって引き起こされる通路内または媒体を通じた非固体の自然吸引作用のことである。一部の実施形態では、毛細管作用によりリザーバから液体を引き出すために、適切に寸法付けられた直径を有するチューブが供給媒体２４の一部として使用される。
【００１９】
本発明の他の実施形態において、供給媒体２４は、繊維材料、多孔材料、焼結プラスチック材料または同様のタイプの材料から成る芯材３４を含んでいる。供給媒体の特定の例については後述する。これらの実施形態において、レザーカートリッジ１２は、その外面３８中に少なくとも１つの開孔３６を有している（図４参照）。芯材３４は、芯材３４の接触端部３２がレザーカートリッジ１２の外面３８に隣接し或いは外面３８から突出するように開孔３６内に位置されている。ここで図１を参照すると、芯材３４の接触端部３２は、レザーブレード１６の刃先２８に最も近い位置でレザーカートリッジ１２の外面３８から突出することが好ましい。また、芯材３４の一部は、リザーバ１８に隣接し或いはリザーバ１８中へと延びており、液体材料収容デバイス２０と直接に接触している。
【００２０】
図６および図７を参照すると、一部の実施形態において、芯材３４は長尺本体部４０と複数のピン４２とを有している。長尺本体部４０は、レザーカートリッジ１２の外面３８に形成されたチャンネル４４内に配置される（図１参照）。ピン４２は、レザーカートリッジ１２の外面３８からリザーバ１８へ通じる複数の相補的な開孔３６中に挿入される（図４，６，７）。また、各ピン４２はチップ４６を有しており、チップ４６は、ピン４２が開孔３６を通過してリザーバ１８中へと延びることができるとともに芯材３４を所定位置でロックできるように形成された外側に突出するリップ４８を有している。リップ４８は、チャンネル４４内における芯材３４の長尺本体部４０の位置を維持するとともに、少なくとも１つのピン４２とリザーバ１８内の液体材料収容要素２０との接触を維持させる。
【００２１】
図１，１Ａ，３，８に示される実施形態を参照すると、レザーカートリッジは、選択的に取り外し可能な蓋２６を有している。図１Ａに示される実施形態において、ハンドル１４は、選択的に取り外し可能な蓋２６に対して装着されている。選択的に取り外し可能な蓋２６は、リザーバ１８の開口端３０を少なくとも実質的に覆うように寸法付けられている。好ましい実施形態において、リザーバ１８の開口端３０および選択的に取り外し可能な蓋２６は相補的なコネクタ５０も有しており、これらのコネクタ５０により、選択的に取り外し可能な蓋２６はリザーバ１８の開口端３０を覆ってシールすることができる。図１，２に示される相補的なコネクタ５０は嵌め合い対である。他の嵌め合い対やクリップ等を代わりに使用することにより、選択的に取り外し可能な蓋２６とリザーバ１８の開口端３０とを接続しても良い。また、選択的に取り外し可能な蓋２６およびリザーバ１８は互いに対して回動可能に接続されても良い。
【００２２】
以上は、レザーカートリッジ１２およびハンドル１４を有するシェービング装置１に関して本発明を説明している。一部の用途では、ハンドル１４を異なるレザーカートリッジ１２と共に複数回使用できるように、レザーカートリッジ１２がハンドル１４に対して解放可能に取り付けられる。
【００２３】
ここで図９〜図１６に示される実施形態を参照すると、本発明のシェービング装置１０は、前面５２と、後面５４と、前面５２と後面５４との間で延びる髭剃り面５６と、リザーバ１８とを有するレザーカートリッジ１２を備えている。リザーバ１８は、好ましくはレザーブレード１６における望ましい寿命に対応する十分な量の液体シェービング補助材料２２を保持して収容することができる。リザーバ１８は、レザーカートリッジ１２それ自体の構造の一部となるように示されているが、レザーカートリッジ１２に取り付け可能な別個のハウジング５８の形態を成すことができる。このハウジング５８は、必要に応じて所定量の液体シェービング補助材料２２を補充するために或いは異なるシェービング補助材料に切り換えるために交換可能であっても良い。図９に示される交換可能なハウジング５８は、レザーカートリッジ１２に対して取り付け可能／取り外し可能なリザーバ１８を形成している。リザーバ１８は、液体シェービング補助材料２２が予め含浸されて取り付けられても良く、あるいは、液体シェービング補助材料２２が補充されるようになっていても良い。
【００２４】
液体シェービング補助材料２２を収容する液体材料収容要素２０は、リザーバ１８内に設けられ、リザーバの内容積をほぼ満たすことが好ましい。液体材料収容要素２０はレザーカートリッジ１２内に装着された供給媒体２４と通じており、これらは、協働して、ユーザの皮膚に対して液体シェービング補助材料２２を供給するように機能し得る構造体を形成する。液体材料収容要素２０は、孔径が約５〜１２０ミクロンで且つ孔容積が約２５％〜９５％の多孔質ストリップを形成する繊維構造を成していても良い。ポリプロピレンまたは他のポリオレフィン結合剤、延伸ポリエステル（oriented polyester）、または、他の繊維成分混合物などの多孔質ポリマーが許容できる収容要素材料の一例である。ストリップを形成する繊維は、疎水性または親水性の表面反応性を与えるように処理することができる。
【００２５】
シェービング操作中に供給媒体２４をユーザの皮膚に対して晒すため、供給媒体２４は、第１の部分６２がレザーカートリッジ１２から外側に突出するようにレザーカートリッジ１２のスロット６０内に配置されている。供給媒体２４の第２の部分６４は、リザーバ１８内へと延びて、液体材料収容要素２０に通じている。供給媒体２４はそれ自体をシェービング補助材料により構成することができ、このシェービング補助材料は、吸収された液体シェービング補助材料と一緒にシェービング中にユーザの皮膚に対して与えることができる。許容できる供給媒体２４の材料の例としては、高密度ポリエチレン（ＨＤＰＥ）、ポリテトラフルオロエチレン（ＰＴＦＥ）、超高分子量ポリエチレン（ＵＨＭＷ）、ナイロン６（Ｎ６）、ポリプロピレン（ＰＰ）、ポリフッ化ビニリデン（ＰＶＤＦ）、ポリエーテルスルフォン（ＰＥＳ）または他のポリマー形成体等の多孔質材料または他の吸収性（毛細管作用を示す）材料、および、多孔質金属、セラミックス、膜材料または他の濾過材料を挙げることができる。また、供給媒体２４は繊維構造を成すこともできる。
【００２６】
図１０および図１２〜図１４に示されるように、供給媒体２４の第２の部分６４は、リザーバ１８内へと延びて液体材料収容要素２０と係合する複数の脚部６６を備えている。一部の実施形態において、脚部は、スロット６０の下端の開孔６８を貫通して延びている。脚部６６は、開孔６８と係合して、供給媒体２４をスロット６０内に取り付ける。また、脚部６６は、液体シェービング補助材料２２の供給媒体２４への移動および供給媒体２４全体にわたる移動を（例えば毛細管作用または灯心作用）容易にする。その後、液体シェービング補助材料２２は供給媒体２４を通じて均一に供給される。
【００２７】
液体シェービング補助材料２２は、シェービング操作中、供給媒体２４と皮膚表面との間の接触によりユーザの皮膚表面に対して与えられる。シェービング補助材料がユーザの皮膚表面に対して供給される速さは、部分的には、供給媒体２４における毛細管間隙のサイズ、供給媒体２４の体積、液体シェービング補助材料２２の粘度、表面張力、湿潤係数または拡張係数（クリープ）によって制御される。
【００２８】
図１５に示される他の構成では、液体材料収容要素２０および供給媒体２４を単一構造体７０に取って代えることができる。単一構造体７０の第１の部分７２はレザーカートリッジ１２から部分的に露出されており、第２の部分７４はリザーバ１８をほぼ満たすとともに、リザーバ内に設けられた液体シェービング補助材料２２を吸収する。第１の部分７２および第２の部分７４は、一体部品として形成されているが、移行領域７６によって分離される低空隙率領域と高空隙率領域とにそれぞれ分けることができる。低空隙率領域は、第１の部分７２の露出部を通じた液体シェービング補助材料２２の分配を制御し、また、高空隙率領域は、液体シェービング補助材料２２を蓄えるとともに、液体シェービング補助材料２２を第２の部分７４から第１の部分７２へと送るようになっている。
【００２９】
一部の実施形態では、１つ以上のシール７８を使用して、リザーバ１８からのシェービング補助材料２２の蒸発が抑制され或いは防止される。
【００３０】
レザーカートリッジ１２に対する供給媒体２４の配置および位置は、様々な用途に適するように変えることができる。図１０，１２，１５は、レザーブレード１６の後部に位置された供給媒体２４を示している。一方、図１１は、レザーブレード１６の前方に位置された供給媒体２４を示している。
【００３１】
供給媒体２４は、シェービング補助材料２２を付与できる領域を最大にするため、レザーカートリッジ１２の幅方向に沿って延びていることが好ましい。しかしながら、供給媒体２４の第１の部分６２は、図１２に示されるように連続構造を成している必要はない。例えば、図１３，１４，１６に示されるように、供給媒体２４は、レザーカートリッジ１２の外側に延びてユーザの皮膚の表面と係合するようになっている成形部材８０（例えば、ロッド、剛毛または他の突出部）の配列を備えることができる。成形部材８０は、連続する供給媒体ベース部材８２から外側に延びることができる（図１３および図１４参照）。あるいは、供給媒体２４は、実際には、図１６に示されるように複数の個別の成形部材８０を備えることができる。
【００３２】
一部の実施形態において、成形部材８０は、シェービング補助材料２２の流量および流れ位置を測定するようになっている。例えば、シェービング補助材料２２の流量は、成形材料８０の体積、断面積および表面積、成形部材８０の数、成形部材８０の配置によって制御することができる。成形部材８０を使用して、供給媒体２４を幾つかの分割されたリザーバ１８ａ，１８ｂ（図１６参照）に対して接続することができる。この場合、各リザーバ１８ａ，１８ｂは、異なるシェービング補助材料２２を収容しており、ある場合には異なる液体材料収容要素２０ａ，２０ｂも同様に収容している。必要に応じて、そのような成形部材８０は、異なるシェービング補助材料２２をレザーカートリッジ１２の表面を通じて所望通りに分配できるように、対応するリザーバに方向付けて結び付けることができる。図１６に示されるように、成形部材８０は、成形部材８０の端部をユーザの皮膚と接触するべく位置決めするようになっているカバープレート８４とリザーバ１８との間で方向付けられている。
【００３３】
本発明の液体材料収容要素２０は、リザーバ１８内の所定量の液体シェービング補助材料２２が使い果たされた後にレザーカートリッジ１２内で交換できても良い。例えば、図１２に示されるように、液体材料収容要素２０は、レザーカートリッジ１２のリザーバキャビティ８８内に挿入でき或いはレザーカートリッジ１２に対して取り付けることができるとともにその後にレザーカートリッジ１２から取り出して交換または補充することができる別個の容器８６内に収容されていても良い。容器８６は、供給媒体２４の脚部６６を受けて供給媒体２４と容器８６内の液体材料収容要素２０との間の接触を維持する１つ以上の開口９４を有していても良い。脚部６６は、シェービング中にリザーバキャビティ８８内の所定位置に容器８６を保持するべく機能することができる。また、容器８６には、容器をキャビティ８８内の所定位置に保持するための代わりの或いは更なるロック手段（図示せず）が設けられていても良い。図５および図６の特定の実施形態に示されているが、容器８６およびキャビティ８８は任意の形状、体積または構造をとることができる。また、リザーバ１８にアクセスするための手段を設け、リザーバ１８に液体シェービング補助材料２２を補充できるようにしても良い。
【００３４】
液体材料収容要素２０を用いて供給されるシェービング補助材料２２の量がレザーブレード１６の予期される寿命と関連していても良く、そうすることで、所定量の液体シェービング補助材料２２が使い果たされると、ユーザは、ブレード１６が摩耗し、レザーカートリッジ１２を交換する必要があることを知ることができる。液体シェービング補助材料２２の供給量を計量する幾つかの方法、例えば、透明なリザーバ１８、リザーバ構造に組み込まれる点検窓９０、有色のシェービング補助材料２２、シェービング補助材料の消耗量を表わす吸収材料の導電率の減少を検出する電気回路等が本発明と共に使用されても良い。
【００３５】
液体シェービング補助材料の人為的な蒸発を防止するため、装置１０が使用されないときに供給媒体２４上にわたって保護フィルムまたはカバー９２（図１２参照）が設けられても良い。
【００３６】
操作時、シェービング装置１０は剃られる表面と接触される。ユーザがシェービング装置１０を表面に沿って移動させるにつれて、供給媒体２４は、リザーバ１８内の液体材料収容要素２０から液体シェービング補助材料２２を吸い上げる。液体２２は、供給媒体２４を通じて接触端部３２（または、第１の部分６２）へと吸い上げられた後、この接触端部３２において、刃先２８に隣接して剃られる表面に対して与えられる。同時に、ユーザが表面にわたってシェービング装置１０を移動させるにつれて、レザーブレード１６の刃先２８は、その領域から望ましくない毛を剃り落とす。
【００３７】
液体材料収容要素２０中に分散された液体２２の少なくとも一部を繰り返し使用した後に使い果たすと、ユーザは、リザーバ１８内に配置された液体材料収容要素２０中に追加の液体２２を供給しても良い。また、ユーザは、リザーバ１８内に配置された液体材料収容要素２０を、液体シェービング補助材料２２を収容する新たな液体材料収容要素２０（例えばカートリッジ８６）と交換しても良い。
【００３８】
この発明をその詳細な実施形態に関して示して説明してきたが、当業者であれば分かるように、本発明の範囲から逸脱することなく、様々な変更を成すことができるとともに、本発明の要素の代わりにその等価物を用いることもできる。したがって、本発明は、以上の詳細な説明に開示された特定の実施形態に限定されるものではなく、添付の請求項の範囲内に入る全ての実施形態を包含している。
【図面の簡単な説明】
【００３９】
【図１】本発明のシェービング装置の一実施形態の側断面図である。
【図１Ａ】本発明のシェービング装置の他の実施形態の側部分断面図である。
【図２】本発明のレザーカートリッジの平面図である。
【図３】図１Ａの部分３の拡大図である。
【図４】選択的に取り外し可能な蓋が除去された状態の本発明のレザーカートリッジの斜視図である。
【図５】本発明の液体材料収容要素の斜視図である。
【図６】本発明の供給媒体の平面図である。
【図７】本発明の供給媒体の側面図である。
【図８】本発明の選択的に取り外し可能な蓋の斜視図である。
【図９】本発明のシェービング装置の一実施形態の概略図である。
【図１０】本発明のレザーカートリッジの一実施形態の概略断面図である。
【図１１】本発明のレザーカートリッジの一実施形態の概略断面図である。
【図１２】本発明のレザーカートリッジの一実施形態の概略分解斜視図である。
【図１３】本発明の供給媒体の一実施形態の概略斜視図である。
【図１４】本発明の供給媒体の一実施形態の概略断面図である。
【図１５】本発明のレザーカートリッジの一実施形態の概略断面図である。
【図１６】本発明のレザーカートリッジの一実施形態の概略断面図である。
【図１】
2007508866.tif 000003
【図１Ａ】
2007508866.tif 000004
【図２】
2007508866.tif 000005
【図３】
2007508866.tif 000006
【図４】
2007508866.tif 000007
【図５】
2007508866.tif 000008
【図６】
2007508866.tif 000009
【図７】
2007508866.tif 000010
【図８】
2007508866.tif 000011
【図９】
2007508866.tif 000012
【図１０】
2007508866.tif 000013
【図１１】
2007508866.tif 000014
【図１２】
2007508866.tif 000015
【図１３】
2007508866.tif 000016
【図１４】
2007508866.tif 000017
【図１５】
2007508866.tif 000018
【図１６】
2007508866.tif 000019
【国際調査報告】
2007508866.tif 000020
2007508866.tif 000021